(57)【要約】【課題】装置自体をコンパクトにすることが可能であり、且つ省力でプロジェクタの姿勢（位置および傾き角度）の微調整が可能なプロジェクタ支持装置を提供する。【解決手段】構造体２に固定される構造体側固定部材１０と、一端部が構造体側固定部材１０に固定される支持アーム２０と、プロジェクタ１を支持アーム２０の中途部または他端部に連結するプロジェクタ連結装置３０を具備し、プロジェクタ連結装置３０は、プロジェクタ１の左右方向を調整する第１位置調整機構４０と、プロジェクタ１の前後方向を調整する第２位置調整機構５０と、プロジェクタ１の左右方向の軸回りの回動角度を調整する第１回動角調整機構８０と、プロジェクタ１の前後方向の軸回りの回動角度を調整する第２回動角調整機構７０と、プロジェクタ１の上下方向の軸回りの回動角度を調整する第３回動角調整機構６０とを備えるプロジェクタ支持装置１００である。【選択図】図１
2010262184.tif 000002
【特許請求の範囲】
【請求項１】
構造体等に固定される構造体側固定部材と、
一端部が前記構造体側固定部材に固定される支持アームと、
プロジェクタを前記支持アームの中途部または他端部に支持可能に連結するプロジェクタ連結装置と、
を具備し、
前記プロジェクタ連結装置は、
前記構造体等に対する前記プロジェクタの第１の方向の位置を調整する第１位置調整機構と、
前記構造体等に対する前記プロジェクタの前記第１の方向に対して垂直な第２の方向の位置を調整する第２位置調整機構と、
前記構造体等に対する前記プロジェクタの前記第１の方向の軸回りの回動角度を調整する第１回動角調整機構と、
前記構造体等に対する前記プロジェクタの前記第２の方向の軸回りの回動角度を調整する第２回動角調整機構と、
前記構造体等に対する前記プロジェクタの前記第１の方向および前記第２の方向に対して垂直な第３の方向の軸回りの回動角度を調整する第３回動角調整機構と、
を備えるプロジェクタ支持装置。
【請求項２】
前記第１位置調整機構は、
前記第１の方向に摺動する第１摺動部材と、
前記第１摺動部材を摺動可能に支持する第１支持部材と、
長手方向が前記第１の方向に平行となる姿勢で前記第１支持部材に回転可能に軸支され、外周面に前記第１摺動部材に螺合するネジが形成され、一端部または両端部が外部に露出する位置に配置され、当該一端部または両端部に回転力を付与することにより回転する第１移動ネジと、
から構成される請求項１に記載のプロジェクタ支持装置。
【請求項３】
前記第２位置調整機構は、
前記第２の方向に摺動する第２摺動部材と、
前記第２摺動部材を摺動可能に支持する第２支持部材と、
長手方向が前記第２の方向に平行となる姿勢で前記第２支持部材に回転可能に軸支され、外周面に前記第２摺動部材に螺合するネジが形成され、一端部または両端部が外部に露出する位置に配置され、当該一端部または両端部に回転力を付与することにより回転する第２移動ネジと、
から構成される請求項１または請求項２に記載のプロジェクタ支持装置。
【請求項４】
前記第１位置調整機構は、
前記第１の方向に摺動する第１摺動部材と、
前記第１摺動部材を摺動可能に支持する第１支持部材と、
長手方向が前記第１の方向に平行となる姿勢で前記第１支持部材に回転可能に軸支され、外周面に前記第１摺動部材に螺合するネジが形成され、一端部または両端部が外部に露出する位置に配置され、当該一端部または両端部に回転力を付与することにより回転する第１移動ネジと、
から構成され、
前記第２位置調整機構は、
前記第１位置調整機構の第１摺動部材により前記第２の方向へ摺動可能に支持される第２摺動部材と、
長手方向が前記第２の方向に平行となる姿勢で前記第１摺動部材に回転可能に軸支され、外周面に前記第２摺動部材に螺合するネジが形成され、一端部または両端部が外部に露出する位置に配置され、当該一端部または両端部に回転力を付与することにより回転する第２移動ネジと、
から構成される請求項１に記載のプロジェクタ支持装置。
【請求項５】
前記第１摺動部材は、
前記第１の方向および前記第２の方向に平行な一対の板面を有する矩形の基部と、
前記基部の第１辺から延設され、前記第１辺を折目として前記基部の一対の板面の一方側に向かって突出する方向に折り曲げられた第１折曲部と、
前記基部の第１辺に対向する第２辺から延設され、前記第２辺を折目として前記基部の一対の板面の一方側に向かって突出する方向に折り曲げられた第２折曲部と、
前記基部の第１辺および第２辺の一端部に連なる第３辺から延設され、前記第３辺を折目として前記基部の一対の板面の他方側に向かって突出する方向に折り曲げられた第３折曲部と、
前記基部の第１辺および第２辺の他端部に連なるとともに前記第３辺に対向する第４辺から延設され、前記第４辺を折目として前記基部の一対の板面の他方側に向かって突出する方向に折り曲げられた第４折曲部と、
を具備し、
前記第１折曲部および前記第２折曲部は、前記第１支持部材に摺動可能に係合し、
前記第３折曲部および前記第４折曲部は、前記第２摺動部材を摺動可能に支持する請求項４に記載のプロジェクタ支持装置。
【請求項６】
前記第１回動角調整機構は、
前記第１の方向の軸回りに回動する第１軸回動部材と、
前記第１軸回動部材を回動可能に支持する第１軸支持部材と、
長手方向が前記第２の方向に平行となる姿勢で前記第１軸支持部材に回転可能に軸支され、外周面にネジが形成され、一端部または両端部が外部に露出する位置に配置され、当該一端部または両端部に回転力を付与することにより回転する第１軸回動ネジと、
前記第１軸回動ネジに螺合し、前記第１軸回動ネジの回転量に応じて前記第２の方向に移動する第１軸螺合部材と、
一端部が前記第１軸回動部材に固定されるとともに他端部が前記第１軸螺合部材に係合する第１軸係合部材と、
から構成される請求項１から請求項５までのいずれか１項に記載のプロジェクタ支持装置。
【請求項７】
前記第２回動角調整機構は、
前記第２の方向の軸回りに回動する第２軸回動部材と、
前記第２軸回動部材を回動可能に支持する第２軸支持部材と、
長手方向が前記第１の方向に平行となる姿勢で前記第２軸支持部材に回転可能に軸支され、外周面にネジが形成され、一端部または両端部が外部に露出する位置に配置され、当該一端部または両端部に回転力を付与することにより回転する第２軸回動ネジと、
前記第２軸回動ネジに螺合し、前記第２軸回動ネジの回転量に応じて前記第１の方向に移動する第２軸螺合部材と、
一端部が前記第２軸回動部材に固定されるとともに他端部が前記第２軸螺合部材に係合する第２軸係合部材と、
から構成される請求項１から請求項６までのいずれか１項に記載のプロジェクタ支持装置。
【請求項８】
前記第３回動角調整機構は、
前記第３の方向の軸回りに回動する第３軸回動部材と、
前記第３軸回動部材を回動可能に支持する第３軸支持部材と、
長手方向が前記第３の方向に垂直となる姿勢で前記第３軸支持部材に回転可能に軸支され、外周面にネジが形成され、一端部または両端部が外部に露出する位置に配置され、当該一端部または両端部に回転力を付与することにより回転する第３軸回動ネジと、
前記第３軸回動ネジに螺合し、前記第３軸回動ネジの回転量に応じて前記第３軸回動ネジの長手方向に移動する第３軸螺合部材と、
一端部が前記第３軸回動部材に固定されるとともに他端部が前記第３軸螺合部材に係合する第３軸係合部材と、
から構成される請求項１から請求項７までのいずれか１項に記載のプロジェクタ支持装置。
【請求項９】
前記支持アームが、
一端部が前記構造体側固定部材に固定されるアーム本体と、
前記アーム本体に係合されつつ前記アーム本体の長手方向に摺動可能なアームスライダと、
を備え、
前記プロジェクタ連結装置が、
前記アームスライダに固定される請求項１から請求項８までのいずれか１項に記載のプロジェクタ支持装置。
【請求項１０】
前記支持アームは内部空間を有する中空状の部材からなり、
前記支持アームの中途部には前記支持アームの内部空間と外部とを連通する引込み孔が形成され、
前記プロジェクタの配線は前記引込み孔から前記支持アームの内部空間に引き込まれる請求項１から請求項９までのいずれか１項に記載のプロジェクタ支持装置。
【請求項１１】
前記構造体側固定部材は内部空間を有する箱状の部材からなり、
前記構造体側固定部材には前記構造体側固定部材の内部空間と外部とを連通する引出し孔が形成され、
前記引込み孔から前記支持アームの内部に引き込まれた前記プロジェクタの配線は、前記構造体側固定部材の内部空間を経て前記引出し孔から外部へ引き出される請求項１０に記載のプロジェクタ支持装置。
【請求項１２】
前記構造体側固定部材は、
前記構造体等に固定されるベース部材と、
前記ベース部材に前記第３の方向へ摺動可能に支持されるスライド部材と、
を備える請求項１から請求項１１までのいずれか１項に記載のプロジェクタ支持装置。
【請求項１３】
前記支持アームは前記構造体側固定部材に前記第３の方向へ摺動可能に支持される請求項１から請求項１１までのいずれか１項に記載のプロジェクタ支持装置。
【発明の詳細な説明】
【技術分野】
【０００１】
本発明は、プロジェクタを天井、壁、柱、梁等の構造体に支持するためのプロジェクタ支持装置の技術に関する。
【背景技術】
【０００２】
従来、机上等に設置されるプロジェクタの支持機構に関する技術は公知である（例えば、特許文献１）。特許文献１におけるプロジェクタの支持機構は、プロジェクタの裏面に手回し可能な調整具を螺合させ、細長の突起を突出させ、当該調整具および突起が机上に接することでプロジェクタを支持するものである。
【０００３】
このような机上等に設置されるプロジェクタは設置場所が机上等であるため、設置場所のレイアウトを変更した場合（例えば、設置場所内の机を移動させた場合）、あるいは使用後のプロジェクタを別の場所で保管する場合には、先に行ったプロジェクタの角度調整の設定が失われることとなる。従って、使用毎にプロジェクタの設置やプロジェクタの傾き角度の調整等の装置設定を行わなければならず、煩雑である。そこで、天井、壁、柱、梁等の構造体にプロジェクタを支持するプロジェクタ支持装置が開発されている（例えば、特許文献２および特許文献３）。
【０００４】
特許文献２および特許文献３のプロジェクタは、プロジェクタ自体を天井等の構造体に支持するため、特許文献１におけるプロジェクタの支持機構のように使用毎にプロジェクタの設置やプロジェクタの傾き角度の調整等の装置設定を行う必要がない点において優れている。
【０００５】
しかしながら、特許文献２のプロジェクタ支持装置では、プロジェクタの支持位置が固定されているため、プロジェクタの傾き角度の調整を行うことができないという問題点があった。
【０００６】
また、特許文献３のプロジェクタ支持装置では、プロジェクタの傾き角度の調整を行うことができるものの、固定つまみにより調整を行うため、重量のあるプロジェクタの角度調整をする場合には大きな力が必要となり調整が困難であるという問題点があった。
さらに、特許文献３のプロジェクタ支持装置は、調整可能な方向および範囲が限定されているため、傾き角度の微調整が困難であるという問題点もあった。さらにまた、特許文献３のプロジェクタ支持装置は、傾き角度の調整を行う各構成を単に上下方向に連結したものとなっており、装置自体が上下方向に大型化するという問題点があった。
【先行技術文献】
【特許文献】
【０００７】
【特許文献１】特開平１１−５４９４６号公報
【特許文献２】特開２００６−３４８９７９号公報
【特許文献３】特開２００６−３３０１３５号公報
【発明の概要】
【発明が解決しようとする課題】
【０００８】
本発明は以上の如き問題を解決するものであり、装置自体をコンパクトにすることが可能であり、且つ省力でプロジェクタの姿勢（位置および傾き角度）の微調整が可能なプロジェクタ支持装置を提供する。
【課題を解決するための手段】
【０００９】
本発明の解決しようとする課題は以上の如くであり、次にこの課題を解決するための手段を説明する。
【００１０】
即ち、第１の発明に係るプロジェクタ支持装置は、
構造体等に固定される構造体側固定部材と、
一端部が前記構造体側固定部材に固定される支持アームと、
プロジェクタを前記支持アームの中途部または他端部に支持可能に連結するプロジェクタ連結装置と、
を具備し、
前記プロジェクタ連結装置は、
前記構造体等に対する前記プロジェクタの第１の方向の位置を調整する第１位置調整機構と、
前記構造体等に対する前記プロジェクタの前記第１の方向に対して垂直な第２の方向の位置を調整する第２位置調整機構と、
前記構造体等に対する前記プロジェクタの前記第１の方向の軸回りの回動角度を調整する第１回動角調整機構と、
前記構造体等に対する前記プロジェクタの前記第２の方向の軸回りの回動角度を調整する第２回動角調整機構と、
前記構造体等に対する前記プロジェクタの前記第１の方向および前記第２の方向に対して垂直な第３の方向の軸回りの回動角度を調整する第３回動角調整機構と、
を備えるものである。
【００１１】
第２の発明に係るプロジェクタ支持装置は、第１の発明に係るプロジェクタ支持装置であって、
前記第１位置調整機構は、
前記第１の方向に摺動する第１摺動部材と、
前記第１摺動部材を摺動可能に支持する第１支持部材と、
長手方向が前記第１の方向に平行となる姿勢で前記第１支持部材に回転可能に軸支され、外周面に前記第１摺動部材に螺合するネジが形成され、一端部または両端部が外部に露出する位置に配置され、当該一端部または両端部に回転力を付与することにより回転する第１移動ネジと、
から構成されるものである。
【００１２】
第３の発明に係るプロジェクタ支持装置は、第１の発明または第２の発明に係るプロジェクタ支持装置であって、
前記第２位置調整機構は、
前記第２の方向に摺動する第２摺動部材と、
前記第２摺動部材を摺動可能に支持する第２支持部材と、
長手方向が前記第２の方向に平行となる姿勢で前記第２支持部材に回転可能に軸支され、外周面に前記第２摺動部材に螺合するネジが形成され、一端部または両端部が外部に露出する位置に配置され、当該一端部または両端部に回転力を付与することにより回転する第２移動ネジと
から構成されるものである。
【００１３】
第４の発明に係るプロジェクタ支持装置は、第１の発明に係るプロジェクタ支持装置であって、
前記第１位置調整機構は、
前記第１の方向に摺動する第１摺動部材と、
前記第１摺動部材を摺動可能に支持する第１支持部材と、
長手方向が前記第１の方向に平行となる姿勢で前記第１支持部材に回転可能に軸支され、外周面に前記第１摺動部材に螺合するネジが形成され、一端部または両端部が外部に露出する位置に配置され、当該一端部または両端部に回転力を付与することにより回転する第１移動ネジと、
から構成され、
前記第２位置調整機構は、
前記第１位置調整機構の第１摺動部材により前記第２の方向へ摺動可能に支持される第２摺動部材と、
長手方向が前記第２の方向に平行となる姿勢で前記第１摺動部材に回転可能に軸支され、外周面に前記第２摺動部材に螺合するネジが形成され、一端部または両端部が外部に露出する位置に配置され、当該一端部または両端部に回転力を付与することにより回転する第２移動ネジと
から構成されるものである。
【００１４】
第５の発明に係るプロジェクタ支持装置は、第４の発明に係るプロジェクタ支持装置であって、
前記第１摺動部材は、
前記第１の方向および前記第２の方向に平行な一対の板面を有する矩形の基部と、
前記基部の第１辺から延設され、前記第１辺を折目として前記基部の一対の板面の一方側に向かって突出する方向に折り曲げられた第１折曲部と、
前記基部の第１辺に対向する第２辺から延設され、前記第２辺を折目として前記基部の一対の板面の一方側に向かって突出する方向に折り曲げられた第２折曲部と、
前記基部の第１辺および第２辺の一端部に連なる第３辺から延設され、前記第３辺を折目として前記基部の一対の板面の他方側に向かって突出する方向に折り曲げられた第３折曲部と、
前記基部の第１辺および第２辺の他端部に連なるとともに前記第３辺に対向する第４辺から延設され、前記第４辺を折目として前記基部の一対の板面の他方側に向かって突出する方向に折り曲げられた第４折曲部と、
を具備し、
前記第１折曲部および前記第２折曲部は、前記第１支持部材に摺動可能に係合し、
前記第３折曲部および前記第４折曲部は、前記第２摺動部材を摺動可能に支持するものである。
【００１５】
第６の発明に係るプロジェクタ支持装置は、第１の発明から第５の発明までのいずれか一つの発明に係るプロジェクタ支持装置であって、
前記第１回動角調整機構は、
前記第１の方向の軸回りに回動する第１軸回動部材と、
前記第１軸回動部材を回動可能に支持する第１軸支持部材と、
長手方向が前記第２の方向に平行となる姿勢で前記第１軸支持部材に回転可能に軸支され、外周面にネジが形成され、一端部または両端部が外部に露出する位置に配置され、当該一端部または両端部に回転力を付与することにより回転する第１軸回動ネジと、
前記第１軸回動ネジに螺合し、前記第１軸回動ネジの回転量に応じて前記第２の方向に移動する第１軸螺合部材と、
一端部が前記第１軸回動部材に固定されるとともに他端部が前記第１軸螺合部材に係合する第１軸係合部材と、
から構成されるものである。
【００１６】
第７の発明に係るプロジェクタ支持装置は、第１の発明から第６の発明までのいずれか一つの発明に係るプロジェクタ支持装置であって、
前記第２回動角調整機構は、
前記第２の方向の軸回りに回動する第２軸回動部材と、
前記第２軸回動部材を回動可能に支持する第２軸支持部材と、
長手方向が前記第１の方向に平行となる姿勢で前記第２軸支持部材に回転可能に軸支され、外周面にネジが形成され、一端部または両端部が外部に露出する位置に配置され、当該一端部または両端部に回転力を付与することにより回転する第２軸回動ネジと、
前記第２軸回動ネジに螺合し、前記第２軸回動ネジの回転量に応じて前記第１の方向に移動する第２軸螺合部材と、
一端部が前記第２軸回動部材に固定されるとともに他端部が前記第２軸螺合部材に係合する第２軸係合部材と、
から構成されるものである。
【００１７】
第８の発明に係るプロジェクタ支持装置は、第１の発明から第７の発明までのいずれか一つの発明に係るプロジェクタ支持装置であって、
前記第３回動角調整機構は、
前記第３の方向の軸回りに回動する第３軸回動部材と、
前記第３軸回動部材を回動可能に支持する第３軸支持部材と、
長手方向が前記第３の方向に垂直となる姿勢で前記第３軸支持部材に回転可能に軸支され、外周面にネジが形成され、一端部または両端部が外部に露出する位置に配置され、当該一端部または両端部に回転力を付与することにより回転する第３軸回動ネジと、
前記第３軸回動ネジに螺合し、前記第３軸回動ネジの回転量に応じて前記第３軸回動ネジの長手方向に移動する第３軸螺合部材と、
一端部が前記第３軸回動部材に固定されるとともに他端部が前記第３軸螺合部材に係合する第３軸係合部材と、
から構成されるものである。
【００１８】
第９の発明に係るプロジェクタ支持装置は、第１の発明から第８の発明までのいずれか一つの発明に係るプロジェクタ支持装置であって、
前記支持アームが、
一端部が前記構造体側固定部材に固定されるアーム本体と、
前記アーム本体に係合されつつ前記アーム本体の長手方向に摺動可能なアームスライダと、
を備え、
前記プロジェクタ連結装置が、
前記アームスライダに固定されるものである。
【００１９】
第１０の発明に係るプロジェクタ支持装置は、第１の発明から第９の発明までのいずれか１つの発明に係るプロジェクタ支持装置であって、
前記支持アームは内部空間を有する中空状の部材からなり、
前記支持アームの中途部には前記支持アームの内部空間と外部とを連通する引込み孔が形成され、
前記プロジェクタの配線は前記引込み孔から前記支持アームの内部空間に引き込まれるものである。
【００２０】
第１１の発明に係るプロジェクタ支持装置は、第１０の発明に係るプロジェクタ支持装置であって、
前記構造体側固定部材は内部空間を有する箱状の部材からなり、
前記構造体側固定部材には前記構造体側固定部材の内部空間と外部とを連通する引出し孔が形成され、
前記引込み孔から前記支持アームの内部に引き込まれた前記プロジェクタの配線は、前記構造体側固定部材の内部空間を経て前記引出し孔から外部へ引き出されるものである。
【００２１】
第１２の発明に係るプロジェクタ支持装置は、第１の発明から第１１の発明までのいずれか１つの発明に係るプロジェクタ支持装置であって、
前記構造体側固定部材は、
前記構造体等に固定されるベース部材と、
前記ベース部材に前記第３の方向へ摺動可能に支持されるスライド部材と、
を備えるものである。
【００２２】
第１３の発明に係るプロジェクタ支持装置は、第１の発明から第１１の発明までのいずれか１つの発明に係るプロジェクタ支持装置であって、
前記支持アームは前記構造体側固定部材に前記第３の方向へ摺動可能に支持されるものである。
【発明の効果】
【００２３】
本発明は、装置自体をコンパクトにすることが可能であり、且つ省力でプロジェクタの姿勢（位置および傾き角度）の微調整が可能である、という効果を奏する。
【図面の簡単な説明】
【００２４】
【図１】プロジェクタ支持装置１００の斜視図。
【図２】構造体側固定部材１０近傍の斜視図。
【図３】プロジェクタ連結装置３０近傍の斜視図。
【図４】プロジェクタ連結装置３０の正面図。
【図５】プロジェクタ連結装置３０の左側面図。
【図６】プロジェクタ連結装置３０の平面図。
【図７】第１支持部材４１を取り外した際のプロジェクタ連結装置３０の平面図。
【図８】第１支持部材４１および第１摺動・支持部材４２を取り外した際のプロジェクタ連結装置３０の平面図。
【図９】第１支持部材４１、第１摺動・支持部材４２、および第２摺動・支持部材５２を取り外した際のプロジェクタ連結装置３０の平面図。
【図１０】第１支持部材４１、第１摺動・支持部材４２、第２摺動・支持部材５２、および第３軸回動・支持部材６１を取り外した際のプロジェクタ連結装置３０の平面図。
【図１１】第１支持部材４１、第１摺動・支持部材４２、第２摺動・支持部材５２、第３軸回動・支持部材６１、および第２軸回動部材７１を取り外した際のプロジェクタ連結装置３０の平面図。
【図１２】第１支持部材４１、第１摺動・支持部材４２、第２摺動・支持部材５２、第３軸回動・支持部材６１、第２軸回動部材７１、および左右軸支持部材８１を取り外した際のプロジェクタ連結装置３０の平面図。
【発明を実施するための形態】
【００２５】
以下では、図１から図３を用いて本発明に係るプロジェクタ支持装置の第１実施形態であるプロジェクタ支持装置１００について説明する。
尚、以下の説明においては、重力が作用する方向に平行な方向を「プロジェクタ支持装置１００の上下方向」とし（重力が作用する方向を下方向とする）、プロジェクタ支持装置１００の上下方向に対して垂直な方向を「プロジェクタ支持装置１００の前後方向」とし、プロジェクタ支持装置１００の上下方向およびプロジェクタ支持装置１００の前後方向に対して垂直な方向を「プロジェクタ支持装置１００の左右方向」と定義し、これらの方向を適宜用いるものとする。
本実施形態では、「プロジェクタ支持装置１００の左右方向」は第１の方向に対応し、「プロジェクタ支持装置１００の前後方向」は第２の方向に対応し、「プロジェクタ支持装置１００の上下方向」は第３の方向に対応する。
【００２６】
プロジェクタ１はいわゆる映写機であり、壁面、スクリーン等に画像を映写する装置である。プロジェクタ１はプロジェクタ支持装置１００により支持される。
【００２７】
プロジェクタ支持装置１００はプロジェクタ１を支持する装置であり、一端部が壁面等の構造体２に固定され、他端部においてプロジェクタ１を支持する。
図１に示すように、プロジェクタ支持装置１００は、主に、構造体側固定部材１０と、支持アーム２０と、プロジェクタ連結装置３０と、プロジェクタ固定部材９０と、から構成されている。
【００２８】
図２に示すように、構造体側固定部材１０は、内部空間を有する箱状の部材であり、一端面が構造体２に固定されている。
本実施形態における構造体２は建物の壁材であるが、本発明に係る構造体等はこれに限定されない。本発明に係る構造体等の具体例としては、建物の壁、柱、天井、梁、家具等の調度品、その他構造物（プロジェクタ支持装置およびプロジェクタの重量を支えることが可能な程度の強度を有する物品）が挙げられる。
構造体側固定部材１０は、ベース部材１１と、スライド部材１２と、を具備する。
【００２９】
ベース部材１１は、構造体側固定部材１０の一部分を形成する箱状の部材であり、構造体２に固定される。本実施形態では、ベース部材１１は金属板を適宜折り曲げることにより成形される。
図２に示すように、ベース部材１１は、構造体固定板１１ａと、上側板１１ｂと、下側板１１ｃと、左側板１１ｄと、右側板１１ｅと、から構成されている。
構造体固定板１１ａは、上下方向に長い長方形状の板状の部材であり、ベース部材１１を構造体２に固定する際に、構造体２と当接する。構造体固定板１１ａの一対の板面は、前後方向に対して垂直である。
上側板１１ｂは、構造体固定板１１ａの上端部から前方に向かって延設される左右方向に長い長方形状の板状の部材である。上側板１１ｂの一対の板面は構造体固定板１１ａの一対の板面に対して垂直である。上側板１１ｂの右端部には切込部１１ｆが設けられている。
下側板１１ｃは、構造体固定板１１ａの下端部から前方に向かって延設される左右方向に長い長方形状の板状の部材である。下側板１１ｃの一対の板面は構造体固定板１１ａの一対の板面に対して垂直である。
左側板１１ｄは、構造体固定板１１ａの左端部から前方に向かって延設される上下方向に長い長方形状の板状の部材である。左側板１１ｄの一対の板面は構造体固定板１１ａの一対の板面に対して垂直である。左側板１１ｄには、上下方向に所定の間隔を空けてネジ部材１１ｈ・１１ｈ・・・・が螺設されている。
右側板１１ｅは、構造体固定板１１ａの右端部から前方に向かって延設される上下方向に長い長方形状の板状の部材である。右側板１１ｅの一対の板面は構造体固定板１１ａの一対の板面に対して垂直である。右側板１１ｅには、左側板１１ｄと同様に上下方向に所定の間隔を空けてネジ部材１１ｈ・１１ｈ・・・（図示省略）が螺設されている。
【００３０】
スライド部材１２は、構造体側固定部材１０の一部分を形成する箱状の部材であり、ベース部材１１に嵌合されることで、構造体側固定部材１０の内部に空間を形成する。
本実施形態では、スライド部材１２は金属板を適宜折り曲げることにより成形され、スライド部材１２の上下方向の長さはベース部材１１より長い。
スライド部材１２は、本体側面板１２ａと、上側板１２ｂと、下側板１２ｃと、左側板１２ｄと、右側板１２ｅと、から構成されている。
本体側面板１２ａは上下方向に長い長方形状の板状の部材であり、スライド部材１２の主たる構造体を成す部材である。本体側面板１２ａの一対の板面は上下方向に延びた二本の平行な折目により屈曲され、当該折目を境に左板、中央板、右板の三つの部分に分割される。本体側面板１２ａの中央板の一対の板面は前後方向に対して垂直であり、本体側面板１２ａの左板および右板は中央板から遠い部分ほど後方となるように屈曲される。本体側面板１２ａの中央板の下部かつ左右中央部となる位置にはアーム支持部１２ｆ（図１）が形成されている。
アーム支持部１２ｆは、後述する支持アーム２０を支持する部分であり、本体側面板１２ａの一部分を内部に折り込んで形成される部分である。アーム支持部１２ｆを形成することにより形成される矩形の孔に支持アーム２０の一端部を嵌装することにより、支持アーム２０はスライド部材１２に固定される。
上側板１２ｂは、本体側面板１２ａの上端部から後方に向かって延設される左右方向に長い長方形状の板状の部材である。上側板１２ｂの一対の板面は本体側面板１２ａの一対の板面に対して垂直である。上側板１２ｂの右端部には切込部１２ｇが設けられている。
下側板１２ｃは、本体側面板１２ａの下端部から後方に向かって延設される左右方向に長い長方形状の板状の部材である。下側板１２ｃの一対の板面は本体側面板１２ａの一対の板面に対して垂直である。
左側板１２ｄは、本体側面板１２ａの左板の左端辺から後方に向かって延設される上下方向に長い長方形状の板状の部材である。左側板１２ｄには、所定の間隔を空けて長溝１２ｊ・１２ｊ・・・・が設けられている。長溝１２ｊは、上下方向に細長く開口した孔である。
右側板１２ｅは、本体側面板１２ａの右板の右端辺から後方に向かって延設される上下方向に長い長方形状の板状の部材である。右側板１２ｅには、左側板１２ｄと同様に所定の間隔を空けて長溝１２ｊ・１２ｊ・・・・（図示省略）が設けられている。
【００３１】
ネジ部材１１ｈ・１１ｈ・・・・をベース部材１１から取り外した状態でスライド部材１２を前方から後方に向かってベース部材１１に嵌合し、ネジ部材１１ｈ・１１ｈ・・・・をそれぞれスライド部材１２の長溝１２ｊ・１２ｊ・・・・を貫通してベース部材１１（の左側板１１ｄおよび右側板１１ｅ）に緩く締め付けることにより、スライド部材１２はネジ部材１１ｈ・１１ｈ・・・・を介してベース部材１１に上下方向に摺動可能に支持される。
また、ネジ部材１１ｈ・１１ｈ・・・・を強く締め付けることにより、スライド部材１２はベース部材１１に対して摺動不能に固定される。
このように、ネジ部材１１ｈ・１１ｈ・・・・を締め付ける強さを変えることにより、スライド部材１２がベース部材１１に対して摺動可能な状態と、スライド部材１２がベース部材１１に対して摺動不能な状態と、を切り替えることが可能である。
【００３２】
本実施形態ではスライド部材１２はベース部材１１に対して上下方向に摺動する構成としたが、本発明はこれに限定されず、支持アーム２０が構造体側固定部材に対して上下方向に摺動可能な構成としても良い。
【００３３】
スライド部材１２がベース部材１１に嵌合された状態では、ベース部材１１の上側板１１ｂの切込部１１ｆとスライド部材１２の上側板１２ｂの切込部１２ｇとが平面視で重なることにより、引出し孔１３が形成される。
引出し孔１３は、構造体側固定部材１０の内部空間と外部とを連通しており、アーム支持部１２ｆから構造体側固定部材１０の内部空間に引き込まれたプロジェクタ１の配線を引出し孔１３から外部へ引き出すことができる。
【００３４】
図１から図３に示すように、支持アーム２０は、前後方向に長い直方体形状の部材である。
支持アーム２０の一端部（後端部）は構造体側固定部材１０に支持される。構造体側固定部材１０のスライド部材１２がベース部材１１に対して上下方向に摺動することにより、支持アーム２０は上下方向に移動する。
支持アーム２０は、アーム本体２１と、アームスライダ２２と、から構成されている。
アーム本体２１は支持アーム２０の主たる構造体を成す部材である。アーム本体２１は前後方向に長い直方体形状の部材である。
アーム本体２１の一端部（後端部）は、構造体側固定部材１０のアーム支持部１２ｆに挿入された状態で支持される。
アーム本体２１は金属板を適宜折り曲げることにより成形され、上側板２１ａと、下側板２１ｂと、左側板２１ｃと、右側板２１ｄと、を有する。上側板２１ａ、下側板２１ｂ、左側板２１ｃおよび右側板２１ｄにより囲まれる空間としてアーム本体２１の内部空間が形成される。
上側板２１ａは前後方向に長い長方形状の板状の部材である。上側板２１ａの一対の板面は上下方向に対して垂直となる。上側板２１ａには、上側板２１ａの一対の板面を貫通するスライド溝２１ｅが設けられている。スライド溝２１ｅは前後方向に伸びた形状を有する。
下側板２１ｂは前後方向に長い長方形状の板状の部材である。下側板２１ｂの一対の板面は上下方向に対して垂直となる。下側板２１ｂには、下側板２１ｂの一対の板面を貫通するスライド溝２１ｅが設けられている。
左側板２１ｃは前後方向に長い長方形状の板状の部材である。左側板２１ｃの一対の板面は左右方向に対して垂直となる。左側板２１ｃの上端部は上側板２１ａの左端部に延設され、左側板２１ｃの下端部は下側板２１ｂの左端部に延設される。左側板２１ｃの前後略中央部には左側板２１ｃの一対の板面を貫通する引込み孔２１ｆが設けられている。
右側板２１ｄは前後方向に長い長方形状の板状の部材である。右側板２１ｄの一対の板面は左右方向に対して垂直となる。右側板２１ｄの上端部は上側板２１ａの右端部に延設され、右側板２１ｄの下端部は下側板２１ｂの右端部に延設される。右側板２１ｄの前後略中央部には右側板２１ｄの一対の板面を貫通する引込み孔２１ｆが設けられている。
引込み孔２１ｆ・２１ｆは、左側板２１ｃおよび右側板２１ｄにそれぞれ設けられる孔であり、支持アーム２０の内部空間と外部とを連通している。引込み孔２１ｆ・２１ｆにより支持アーム２０の内部空間と外部とが連通しているため、外部にあるプロジェクタ１の配線を、引込み孔２１ｆ・２１ｆのいずれかから支持アーム２０の内部空間に引き込むことができる。
アームスライダ２２は、金属板を適宜折り曲げることにより正面視略Ｕ字状に成形された部材である。アームスライダ２２は支持アーム２０の内部空間に収容され、アームスライダ２２の下端部はアーム本体２１の下側板２１ｂのスライド溝２１ｅに摺動可能に係合する。
【００３５】
プロジェクタ連結装置３０は、プロジェクタ１を支持アーム２０の中途部または他端部（前端部）に支持可能に連結する装置である。プロジェクタ連結装置３０の詳細については後述する。
【００３６】
プロジェクタ固定部材９０は、平面視長方形状の板状の部材である。
プロジェクタ固定部材９０の上面にはプロジェクタ連結装置３０の下端部が固定されるとともに、プロジェクタ固定部材９０の下面にはプロジェクタ１の上部が固定される。
尚、本実施形態において、プロジェクタ１はプロジェクタ固定部材９０に固定されるが、プロジェクタ１の形状等によってはプロジェクタ１を直接プロジェクタ連結装置３０に固定する構成（プロジェクタ固定部材９０を省略した構成）としても良い。
【００３７】
次に、図４から図１２を用いてプロジェクタ連結装置３０の詳細な構成について説明する。
プロジェクタ連結装置３０はアームスライダ２２の下端部に固定されることにより、支持アーム２０に支持される。また、プロジェクタ連結装置３０とアームスライダ２２とを合わせたものは、アーム本体２１の下側板２１ｂに形成されたスライド溝２１ｅに係合しつつ、スライド溝２１ｅの長手方向、すなわち前後方向に摺動することが可能である。
このように、プロジェクタ連結装置３０とアームスライダ２２とを合わせたものがアーム本体２１に対して摺動することにより、プロジェクタ連結装置３０の前後方向における大まかな位置を調整することが可能である。
プロジェクタ連結装置３０は、第１位置調整機構４０と、第２位置調整機構５０と、第１回動角調整機構８０と、第２回動角調整機構７０と、第３回動角調整機構６０と、から構成されている。
プロジェクタ連結装置３０は、その上端部から下端部に向かって第１位置調整機構４０、第２位置調整機構５０、第３回動角調整機構６０、第２回動角調整機構７０、第１回動角調整機構８０の順に積み重ねられた状態で配置される。
なお、プロジェクタ連結装置３０の各機構の配置の順番は本実施形態に限定されるものではない。
以下では、「正対姿勢」におけるプロジェクタ連結装置３０に基づいてプロジェクタ連結装置３０の各部の形状および位置関係の説明を行う。
「正対姿勢」は、プロジェクタ連結装置３０の基本となる姿勢であり、プロジェクタ連結装置３０に固定されたプロジェクタ１の左右方向、前後方向、および上下方向をそれぞれ第1の方向、第２の方向、および第３の方向に略合わせた状態の姿勢である。
【００３８】
以下では、第１位置調整機構４０について説明する。
第１位置調整機構４０は、構造体２に対するプロジェクタ１の左右方向の位置を調整する機構である。図４に示すように、第１位置調整機構４０は、第１支持部材４１と、第１摺動・支持部材４２と、第１移動ネジ４３と、から構成されている。
【００３９】
第１支持部材４１はプロジェクタ連結装置３０の上端部を成す部材である。
図４から図７に示すように、第１支持部材４１は金属板を適宜折り曲げることにより成形され、基部４１ｅおよび第１折曲部４１ａ・第２折曲部４１ｂ・第３折曲部４１ｃ・第４折曲部４１ｄを有する。
図６に示すように、基部４１ｅは平面視長方形状の板状の部材であり、基部４１ｅの一対の板面は上下方向に対して垂直である。基部４１ｅは支持アーム２０のアームスライダ２２の下端部に固定される。
第１折曲部４１ａは、基部４１ｅの左端辺から延設され、基部４１ｅの左端辺を折目として下方に折り曲げられた部分である。第１折曲部４１ａの前後略中央部には第１挿通孔４１ｍが形成される。
第２折曲部４１ｂは、基部４１ｅの右端辺から延設され、基部４１ｅの右端辺を折目として下方に折り曲げられた部分である。第２折曲部４１ｂの前後略中央部には第２挿通孔４１ｆが形成される。
第３折曲部４１ｃは、基部４１ｅの前端辺から延設され、基部４１ｅの前端辺を折目として下方に折り曲げられた部分である。第３折曲部４１ｃの右半部および左半部にはそれぞれ第３挿通孔４１ｇおよび第４挿通孔４１ｈが形成される。
第４折曲部４１ｄは、基部４１ｅの後端辺から延設され、基部４１ｅの後端辺を折目として下方に折り曲げられた部分である。第４折曲部４１ｄの右半部および左半部にはそれぞれ第５挿通孔４１ｊおよび第６挿通孔４１ｋが形成される。
挿通孔４１ｇ・４１ｈ・４１ｊ・４１ｋの内周面には雌ネジが形成され、ネジ部材４５・４５・４５・４５がそれぞれ螺着されている。
【００４０】
第１摺動・支持部材４２は、本発明に係る「第１摺動部材」の実施の一形態であり、第１支持部材４１に摺動可能に支持される部材である。
第１摺動・支持部材４２は金属板を適宜折り曲げることにより成形され、基部４２ｆおよび第１折曲部４２ａ・第２折曲部４２ｂ・第３折曲部４２ｃ・第４折曲部４２ｄを有する。
基部４２ｆは平面視長方形状の板状の部材であり、基部４２ｆの一対の板面は上下方向に対して垂直である（前後方向および左右方向に対して平行である）。
第１折曲部４２ａは、基部４２ｆの前端辺から延設され、基部４２ｆの前端辺を折目として上方に折り曲げられた部分である。図４に示すように、第１折曲部４２ａの左半部および右半部には長孔４２ｅ・４２ｅが形成される。
長孔４２ｅ・４２ｅは、左右方向に沿って細長く開口される孔である。
図４および図６に示すように、第１折曲部４２ａに形成された長孔４２ｅ・４２ｅには、第１支持部材４１の第３折曲部４１ｃに螺着されたネジ部材４５・４５が摺動可能に挿通される。
第２折曲部４２ｂは、基部４２ｆの後端辺から延設され、基部４２ｆの後端辺を折目として上方に折り曲げられた部分である。図６に示すように、第２折曲部４２ｂの左半部および右半部には長孔４２ｅ・４２ｅが形成される。
図６に示すように、第２折曲部４２ｂに形成された長孔４２ｅ・４２ｅには、第１支持部材４１の第４折曲部４１ｄに螺着されたネジ部材４５・４５が摺動可能に挿通される。
第３折曲部４２ｃは、基部４２ｆの左端辺から延設され、基部４２ｆの左端辺を折目として下方に折り曲げられた部分である。第３折曲部４２ｃの前半部および後半部には、それぞれネジ部材４６・４６（図５）が螺着されている。
第４折曲部４２ｄは、基部４２ｆの右端辺から延設され、基部４２ｆの右端辺を折目として下方に折り曲げられた部分である。第４折曲部４２ｄの前半部および後半部には、それぞれネジ部材４６・４６（図５）が螺着されている。
【００４１】
また、図７に示すように、第１摺動・支持部材４２の基部４２ｆの上側の板面の中央部には、第１突起部４２ｍが突設されている。
第１突起部４２ｍは板状の部材であり、一対の板面が左右方向に対して垂直となる。第１突起部４２ｍの中央部には挿通孔４２ｎが設けられている。第１突起部４２ｍの左側の板面にはナット４２ｐが固着され、ナット４２ｐに形成されるネジ孔と挿通孔４２ｎとが連通する。
【００４２】
第１移動ネジ４３は、棒状の部材であり、その外周面にはネジが形成される。
第１移動ネジ４３は、第１支持部材４１の第１挿通孔４１ｍおよび第２挿通孔４１ｆに挿通されることにより、第１支持部材４１に回転可能に軸支される。
第１移動ネジ４３が第１支持部材４１に回転可能に軸支されているとき、第１移動ネジ４３の長手方向は左右方向に対して平行である。
また、第１移動ネジ４３が第１支持部材４１に回転可能に軸支されているとき、第１移動ネジ４３は第１摺動・支持部材４２の第１突起部４２ｍの挿通孔４２ｎに挿通されるとともに、ナット４２ｐに螺合される。
第１移動ネジ４３が第１支持部材４１に回転可能に軸支されているとき、第１移動ネジ４３の左端部（頭部）は第１支持部材４１の第１折曲部４１ａの外側（左方）に突出しており、第１折曲部４１ａの外部に露出している。
【００４３】
以上の如く、第１位置調整機構４０は上下方向に対して垂直な一対の板面を有する基部４１ｅを含む第１支持部材４１と、同じく上下方向に対して垂直な一対の板面を有する基部４２ｆを含む第１摺動・支持部材４２と、長手方向が上下方向に対して垂直な第１移動ネジ４３とを備えるため、第１位置調整機構４０の上下方向のサイズを小さくする（薄くする）ことが可能であり、ひいてはプロジェクタ連結装置３０の上下方向のサイズを小さくすることが可能である。
【００４４】
以下では、第１位置調整機構４０の動作について説明する。
図５に示すように、第１移動ネジ４３の左端部（頭部）には六角レンチが嵌合する六角形状の孔が形成されている。作業者が当該孔に六角レンチを差し込んで六角レンチを回転させることにより、第１移動ネジ４３には回転力が付与され、第１移動ネジ４３は回転する。
第１移動ネジ４３が回転すると、第１移動ネジ４３と螺合しているナット４２ｐが第１移動ネジ４３の長手方向、すなわち左右方向に移動する。
ナット４２ｐは第１突起部４２ｍを介して第１摺動・支持部材４２の基部４２ｆに固定されているため、第１摺動・支持部材４２は第１移動ネジ４３の回転量（回転角度）に応じて（比例して）左右方向に移動（摺動）することとなる。
なお、第１摺動・支持部材４２は、ネジ部材４５・４５・４５・４５を介して第１支持部材４１に支持されているため、第１支持部材４１に対する第１摺動・支持部材４２の上下方向および前後方向の移動は規制される。
【００４５】
以下では、第２位置調整機構５０について説明する。
第２位置調整機構５０は、構造体２に対するプロジェクタ１の前後方向の位置を調整する機構である。
第２位置調整機構５０は、第１摺動・支持部材４２と、第２摺動・支持部材５２と、第２移動ネジ５３と、から構成されている。
本実施形態では、第１摺動・支持部材４２は、第１位置調整機構４０を構成する部材の一つであるとともに、第２位置調整機構５０を構成する部材の一つである。つまり、第１摺動・支持部材４２は、本発明に係る「第１摺動部材」の実施の一形態であるとともに、本発明に係る「第２支持部材」の実施の一形態でもある。
【００４６】
図７において点線で示すように、第１摺動・支持部材４２の基部４２ｆの下側の板面には、下方へ突出する突起部４２ｒ・４２ｓが突設されている。
第２突起部４２ｒは、第１摺動・支持部材４２の基部４２ｆの下側の板面の左右略中央部かつ前端部となる位置に設けられる板状の部材であり、第２突起部４２ｒの一対の板面が前後方向に対して垂直となる。第２突起部４２ｒの中央部には挿通孔４２ｔが設けられている。
第３突起部４２ｓは、第１摺動・支持部材４２の基部４２ｆの下側の板面の左右略中央部かつ後端部となる位置に設けられる板状の部材であり、第３突起部４２ｓの一対の板面が前後方向に対して垂直となる。第３突起部４２ｓの中央部には挿通孔４２ｕが設けられている。
【００４７】
第２摺動・支持部材５２は、本発明に係る「第２摺動部材」の実施の一形態であり、第１摺動・支持部材４２に摺動可能に支持される部材である。
第２摺動・支持部材５２は金属板を適宜折り曲げることにより成形される。
図７に示すように、第２摺動・支持部材５２は基部５２ｖおよび第１折曲部５２ａ・第２折曲部５２ｂ・第３折曲部５２ｃ・第４折曲部５２ｄを有する。
基部５２ｖは平面視長方形状の板状の部材であり、基部５２ｖの一対の板面は上下方向に対して垂直である（前後方向および左右方向に対して平行である）。
第１折曲部５２ａは、基部５２ｖの左端辺から延設され、基部５２ｖの左端辺を折目として上方に折り曲げられた部分である。図５および図７に示すように、第１折曲部５２ａの前半部および後半部にはそれぞれ長孔５２ｅ・５２ｅが形成される。
長孔５２ｅ・５２ｅは、前後方向に沿って細長く開口される孔である。
図５および図７に示すように、長孔５２ｅ・５２ｅにはそれぞれネジ部材４６・４６が摺動可能に挿通される。
第２折曲部５２ｂは、基部５２ｖの右端辺から延設され、基部５２ｖの右端辺を折目として上方に折り曲げられた部分である。図７に示すように、第２折曲部５２ｂの前半部および後半部にはそれぞれ長孔５２ｅ・５２ｅが形成される。
第３折曲部５２ｃは、基部５２ｖの後端辺から延設され、基部５２ｖの後端辺を折目として上方に折り曲げられた部分である。
第４折曲部５２ｄは、基部５２ｖの前端辺から延設され、基部５２ｖの前端辺を折目として上方に折り曲げられた部分である。図７および図８に示すように、第４折曲部５２ｄの左端部には第１挿通孔５２ｆが形成される。
【００４８】
また、図８に示すように、第２摺動・支持部材５２の基部５２ｖの上側の板面の略中央部には上方に突出する第１突起部５２ｇが突設されている。
第１突起部５２ｇは板状の部材であり、一対の板面が前後方向に対して垂直となる。第１突起部５２ｇの中央部には挿通孔５２ｈが設けられている。第１突起部５２ｇの前側の板面にはナット５２ｊが固着され、ナット５２ｊに形成されるネジ孔と挿通孔５２ｈとが連通する。
【００４９】
図８に示すように、第２移動ネジ５３は、棒状の部材であり、その外周面にはネジが形成される。
第２移動ネジ５３は、第１摺動・支持部材４２の第２突起部４２ｒの挿通孔４２ｔ（図７）および第３突起部４２Ｓの挿通孔４２ｕ（図７）に挿通されることにより、第１摺動・支持部材４２に回転可能に軸支される。
第２移動ネジ５３が第１摺動・支持部材４２に回転可能に軸支されているとき、第２移動ネジ５３の長手方向は前後方向に対して平行である。
また、第２移動ネジ５３が第１摺動・支持部材４２に回転可能に軸支されているとき、第２移動ネジ５３は第２摺動・支持部材５２の第１突起部５２ｇの挿通孔５２ｈに挿通されるとともに、ナット５２ｊに螺合される。
第２移動ネジ５３が第１摺動・支持部材４２に回転可能に軸支されているとき、第２移動ネジ５３の前端部（頭部）は平面視で第１摺動・支持部材４２の前端部とほぼ面一となる位置に配置される。また、図４に示すように、第２摺動・支持部材５２の第４折曲部５２ｄの左右略中央部には切り欠き５２ｗが形成されており、正面視で切り欠き５２ｗを通して第２移動ネジ５３の前端部（頭部）が視認出来る。
従って、第２移動ネジ５３の前端部（頭部）は外部から操作可能な状態（ひいては、外部に露出した状態）となっている。
【００５０】
以上の如く、第２位置調整機構５０は上下方向に対して垂直な一対の板面を有する基部４２ｆを含む第１摺動・支持部材４２と、同じく上下方向に対して垂直な一対の板面を有する基部５２ｖを含む第２摺動・支持部材５２と、長手方向が上下方向に対して垂直な第２移動ネジ５３とを備えるため、第２位置調整機構５０の上下方向のサイズを小さくする（薄くする）ことが可能であり、ひいてはプロジェクタ連結装置３０の上下方向のサイズを小さくすることが可能である。
特に、本実施形態では、第１摺動・支持部材４２が第１位置調整機構４０を構成する部材の一つおよび第２位置調整機構５０を構成する部材の一つを兼ねるので、プロジェクタ連結装置３０の上下方向のサイズを更に小さくすることが可能である。
【００５１】
以下では、第２位置調整機構５０の動作について説明する。
図４に示すように、第２移動ネジ５３の前端部（頭部）には六角レンチが嵌合する六角形状の孔が形成されている。作業者が切り欠き５２ｗを通して当該孔に六角レンチを差し込んで六角レンチを回転させることにより、第２移動ネジ５３には回転力が付与され、第２移動ネジ５３は回転する。
第２移動ネジ５３が回転すると、第２移動ネジ５３と螺合しているナット５２ｊが第２移動ネジ５３の長手方向、すなわち前後方向に移動する。
ナット５２ｊは第１突起部５２ｇを介して第２摺動・支持部材５２の基部５２ｖに固定されているため、第２摺動・支持部材５２は第２移動ネジ５３の回転量（回転角度）に応じて（比例して）前後方向に移動（摺動）することとなる。
なお、第２摺動・支持部材５２は、ネジ部材４６・４６・４６・４６を介して第１摺動・支持部材４２に支持されているため、第１摺動・支持部材４２に対する第２摺動・支持部材５２の上下方向および左右方向の移動は規制される。
【００５２】
上述のように、プロジェクタ連結装置３０は、第３回動角調整機構６０、第２回動角調整機構７０、第１回動角調整機構８０の順で、上下方向（第3の方向）に積み重ねられた状態で配置される。
なお、第３回動角調整機構６０、第２回動角調整機構７０、および第１回動角調整機構８０の上下方向（第3の方向）の配置の順番は本実施形態に限定されるものではない。
以下、第３回動角調整機構６０、第２回動角調整機構７０、および第１回動角調整機構８０について、本実施形態における配置の順番で説明する。
【００５３】
まず、第３回動角調整機構６０について説明する。
第３回動角調整機構６０は、構造体２に対するプロジェクタ１の上下方向の軸回りの回動角度を調整する機構である。
図４に示すように、第３回動角調整機構６０は、第２摺動・支持部材５２と、第３軸回動・支持部材６１と、上下軸回動部材６３と、から構成されている。
本実施形態では、第２摺動・支持部材５２は、第２位置調整機構５０を構成する部材の一つであるとともに、第３回動角調整機構６０を構成する部材の一つである。つまり、第２摺動・支持部材５２は、本発明に係る第２位置調整機構の「第２摺動部材」の実施の一形態であるとともに、本発明に係る第３回動角調整機構の「第３軸支持部材」の実施の一形態でもある。
【００５４】
図８に示すように、第２摺動・支持部材５２の基部５２ｖの上側の板面の後端部かつ左端部となる位置には、上方に突出する第２突起部５２ｋが突設されている。
第２突起部５２ｋは板状の部材であり、第２突起部５２ｋの一対の板面が前後方向に対して垂直となる。第２突起部５２ｋの中央部には挿通孔５２ｍが設けられている。
第２摺動・支持部材５２の基部５２ｖの中央部には貫通孔が形成され、ネジ部材５５が挿通される。
第２摺動・支持部材５２の基部５２ｖには、ネジ部材５５が挿通される貫通孔を中心とする上下方向の軸回りの円弧状の長溝である屈曲溝５２ｐ・５２ｒ・５２ｓが設けられる。
第２摺動・支持部材５２の基部５２ｖの下側の板面の前後略中央部かつ左端部となる位置にはネジ部材５９が螺着され、下方に突出している。
【００５５】
図５および図９に示すように、第３軸回動・支持部材６１は、本発明に係る「第３軸回動部材」の実施の一形態であり、金属板を適宜折り曲げることにより成形される。第３軸回動・支持部材６１は基部６１ｃおよび第１折曲部６１ａ・第２折曲部６１ｂを有する。第１折曲部６１ａ・第２折曲部６１ｂの詳細については後述する。
図９に示すように、基部６１ｃは正対姿勢において平面視長方形状の板状の部材であり、基部６１ｃの一対の板面は上下方向に対して垂直である（前後方向および左右方向に対して平行である）。
基部６１ｃの中央部にはネジ孔が形成され、ネジ部材５５が螺着されている。ネジ部材５５により基部６１ｃ、ひいては第３軸回動・支持部材６１が第２摺動・支持部材５２に連結されるとともに、第２摺動・支持部材５２に対して上下方向の軸（本実施形態では、ネジ部材５５がこれに相当する）周りに回動可能に支持される。
第３軸回動・支持部材６１の基部６１ｃの上側の板面にはネジ部材５６・５６・５６が螺着され、上方に突出している。ネジ部材５６・５６・５６は、それぞれ第２摺動・支持部材５２の屈曲溝５２ｐ・５２ｒ・５２ｓに挿通される。
第３軸回動・支持部材６１の左端部にはネジ部材５５が挿通される貫通孔を中心とする円弧状の長溝である屈曲溝６１ｗが設けられている。屈曲溝６１ｗにはネジ部材５９が摺動可能に挿通される。
【００５６】
図８に示すように、上下軸回動部材６３は、主に、上下軸回動ネジ６３ａと、スライドブラケット６３ｂと、ナット６３ｃと、から構成されている。
上下軸回動ネジ６３ａは棒状の部材であり、本発明に係る「第３軸回動ネジ」の実施の一形態である。上下軸回動ネジ６３ａの外周面にはネジが形成される。
上下軸回動ネジ６３ａは第２摺動・支持部材５２の第４折曲部５２ｄの第１挿通孔５２ｆおよび第２突起部５２ｋの挿通孔５２ｍに挿通されることにより、第２摺動・支持部材５２に回転可能に軸支される。
上下軸回動ネジ６３ａが第２摺動・支持部材５２に回転可能に軸支されているとき、上下軸回動ネジ６３ａの長手方向は前後方向に対して平行である。
上下軸回動ネジ６３ａが第２摺動・支持部材５２に回転可能に軸支されているとき、上下軸回動ネジ６３ａの前端部（頭部）は第２摺動・支持部材５２の第４折曲部５２ｄの外側（前方）に突出しており、第４折曲部５２ｄの外部に露出している。
スライドブラケット６３ｂは、金属板を適宜折り曲げることにより成形される側面視略Ｕ字状の部材であり、底板６３ｄと、第１側板６３ｅと、第２側板６３ｆと、から構成されている。
底板６３ｄはスライドブラケット６３ｂの土台部分を形成するものである。底板６３ｄは平面視長方形状の板状の部材であり、底板６３ｄの一対の板面は上下方向に対して垂直である。
底板６３ｄには左右方向に伸びた長溝である係合溝６３ｇが形成される。係合溝６３ｇに右側のネジ部材５６が挿通されることにより、右側のネジ部材５６がスライドブラケット６３ｂに係合する。このネジ部材５６は、本発明に係る「第３軸係合部材」の実施の一形態である。
第１側板６３ｅは、底板６３ｄの後端辺に延設され、上方に向かって折り曲げられた板状の部材である。第１側板６３ｅの一対の板面は前後方向に対して垂直である。第１側板６３ｅの中央部には貫通孔が形成される。
第２側板６３ｆは、底板６３ｄの前端辺に延設され、上方に向かって折り曲げられた板状の部材である。第２側板６３ｆの一対の板面は前後方向に対して垂直である。第２側板６３ｆの中央部には貫通孔が形成される。
ナット６３ｃはスライドブラケット６３ｂの第２側板６３ｆの前側の板面に固着され、ナット６３ｃに形成されるネジ孔と第２側板６３ｆに形成される貫通孔とが連通する。このスライドブラケット６３ｂおよびナット６３ｃを組み合わせた部材は、本発明に係る「第３軸螺合部材」の実施の一形態である。
上下軸回動ネジ６３ａが第２摺動・支持部材５２に回転可能に軸支されているとき、上下軸回動ネジ６３ａはスライドブラケット６３ｂの第１側板６３ｅの貫通孔および第２側板６３ｆの貫通孔に挿通されるとともに、ナット６３ｃに螺合される。
【００５７】
以上の如く、第３回動角調整機構６０は上下方向に対して垂直な一対の板面を有する基部５２ｖを含む第２摺動・支持部材５２と、同じく上下方向に対して垂直な一対の板面を有する基部６１ｃを含む第３軸回動・支持部材６１と、長手方向が上下方向に対して垂直な上下軸回動ネジ６３ａとを備えるため、第３回動角調整機構６０の上下方向のサイズを小さくする（薄くする）ことが可能であり、ひいてはプロジェクタ連結装置３０の上下方向のサイズを小さくすることが可能である。
特に、本実施形態では、第２摺動・支持部材５２が第２位置調整機構５０を構成する部材の一つおよび第３回動角調整機構６０を構成する部材の一つを兼ねるので、プロジェクタ連結装置３０の上下方向のサイズを更に小さくすることが可能である。
【００５８】
以下では、第３回動角調整機構６０の動作について説明する。
図４に示すように、上下軸回動ネジ６３ａの前端部（頭部）には六角レンチが嵌合する六角形状の孔が形成されている。作業者が当該孔に六角レンチを差し込んで六角レンチを回転させることにより、上下軸回動ネジ６３ａには回転力が付与され、上下軸回動ネジ６３ａは回転する。
上下軸回動ネジ６３ａが回転すると、上下軸回動ネジ６３ａと螺合しているナット６３ｃが上下軸回動ネジ６３ａの長手方向、すなわち前後方向に移動する。
ナット６３ｃはスライドブラケット６３ｂに固定されているため、ナット６３ｃとスライドブラケット６３ｂとを合わせたものは、上下軸回動ネジ６３ａの回転量（回転角度）に応じて（比例して）前後方向に移動（摺動）することとなる。
また、スライドブラケット６３ｂの底板６３ｄに形成された係合溝６３ｇには左側のネジ部材５６が挿通され、スライドブラケット６３ｂに係合しているため、左側のネジ部材５６はナット６３ｃとスライドブラケット６３ｂの前後方向に移動に伴って前後方向に移動することとなる。
その結果、左側のネジ部材５６が螺着されている第３軸回動・支持部材６１は左側のネジ部材５６の移動に伴ってネジ部材５５を中心として上下方向の軸回りに回動する。
なお、左側のネジ部材５６は屈曲溝５２ｐに沿って移動し、かつ係合溝６３ｇに沿って移動するため、左側のネジ部材５６が第３軸回動・支持部材６１の上下方向の軸回りの回動およびナット６３ｃとスライドブラケット６３ｂの前後方向の移動を阻害することはない。
【００５９】
以下では、第２回動角調整機構７０について説明する。
第２回動角調整機構７０は、構造体２に対するプロジェクタ１の前後方向の軸回りの回動角度を調整する機構である。
図５に示すように、第２回動角調整機構７０は、第３軸回動・支持部材６１と、第２軸回動部材７１と、前後軸回動部材７３と、から構成されている。
本実施形態では、第３軸回動・支持部材６１は、第３回動角調整機構６０を構成する部材の一つであるとともに、第２回動角調整機構７０を構成する部材の一つである。つまり、第３軸回動・支持部材６１は、本発明に係る第３回動角調整機構の「第３軸回動部材」の実施の一形態であるとともに、本発明に係る第２回動角調整機構の「第２軸支持部材」の実施の一形態でもある。
【００６０】
図４、図５、図９および１０に示すように、第１折曲部６１ａは、基部６１ｃの前端辺から延設され、基部６１ｃの前端辺を折目として下方に折り曲げられた部分である。第１折曲部６１ａの一対の板面は前後方向に対して垂直である。
第１折曲部６１ａの下端部には貫通孔が形成され、当該貫通孔よりも上方となる位置には当該貫通孔を中心とする円弧状の長溝である屈曲溝６１ｄが形成される。
図４および図９に示すように、第１折曲部６１ａの右端部および左端部には、それぞれ第３折曲部６１ｆ・第４折曲部６１ｇが設けられている。
第３折曲部６１ｆは、第１折曲部６１ａの右端辺から延設され、第１折曲部６１ａの右端辺を折目として前方に折り曲げられた部分である。第３折曲部６１ｆの一対の板面は左右方向に対して垂直である。第３折曲部６１ｆの中央部には第３挿通孔６１ｈが設けられている。
第４折曲部６１ｇは、第１折曲部６１ａの左端辺から延設され、第１折曲部６１ａの左端辺を折目として前方に折り曲げられた部分である。第４折曲部６１ｇの一対の板面は左右方向に対して垂直である。第４折曲部６１ｇの中央部には第４挿通孔６１ｊが設けられている。
図５に示すように、第２折曲部６１ｂは基部６１ｃの後端辺から延設され、基部６１ｃの後端辺を折目として下方に折り曲げられた部分である。第２折曲部６１ｂの一対の板面は前後方向に対して垂直である。
第２折曲部６１ｂの下端部には貫通孔（不図示）が形成され、当該貫通孔よりも上方となる位置には当該貫通孔を中心とする円弧状の長溝である屈曲溝（不図示）が形成される。
【００６１】
第２軸回動部材７１は第３軸回動・支持部材６１に回動自在に軸支される部材である。
第２軸回動部材７１は金属板を適宜折り曲げることにより成形される。
第２軸回動部材７１は基部７１ｅおよび第１折曲部７１ａ・第２折曲部７１ｂを有する。
図１０に示すように、基部７１ｅは平面視長方形状の板状の部材であり、基部７１ｅの一対の板面は正対姿勢において上下方向に対して垂直である。
図１０に示すように、第１折曲部７１ａは、基部７１ｅの前端辺から延設され、基部７１ｅの前端辺を折目として下方に折り曲げられた部分である。第１折曲部７１ａの一対の板面は前後方向に対して垂直である。
図４および図５に示すように、ネジ部材６６は第３軸回動・支持部材６１に対する第２軸回動部材７１の前後方向の軸回りの回動の中心（回動軸）となる部材である。
ネジ部材６６は第３軸回動・支持部材６１の第１折曲部６１ａの下端部に形成された貫通孔に回動可能に挿通されるとともに第１折曲部７１ａの下端部に螺着される。
図５に示すように、第１折曲部７１ａの上端部には第１突出部７１ｃが上方に向けて突設されている。第１突出部７１ｃの中央部には、ネジ部材６５が螺着される。第１突出部７１ｃの中央部に螺着されるネジ部材６５は第１折曲部６１ａに形成される屈曲溝６１ｄに挿通され、第１折曲部６１ａの前方に突出する（図４参照）。
図５に示すように、第２折曲部７１ｂは、基部７１ｅの後端辺から延設され、基部７１ｅの後端辺を折目として下方に折り曲げられた部分である。第２折曲部７１ｂの一対の板面は前後方向に対して垂直である。
図５に示すように、ネジ部材６８は、ネジ部材６６と同様に、第３軸回動・支持部材６１に対する第２軸回動部材７１の前後方向の軸回りの回動の中心（回動軸）となる部材である。ネジ部材６８は第３軸回動・支持部材６１の第２折曲部６１ｂの下端部に形成された貫通孔に回動可能に挿通されるとともに第２折曲部７１ｂの下端部に螺着される。
第２折曲部７１ｂの上端部には第２突出部７１ｄが上方に向けて突設されている。第２突出部７１ｄの中央部には、ネジ部材６７が螺着される。第２突出部７１ｄの中央部に螺着されるネジ部材６７は第２折曲部６１ｂに形成される屈曲溝（不図示）に挿通され、第２折曲部６１ｂの後方に突出する（図５参照）。
【００６２】
図４および図９に示すように、前後軸回動部材７３は、主に、前後軸回動ネジ７３ａと、スライドブラケット７３ｂと、ナット７３ｃと、から構成されている。
前後軸回動ネジ７３ａは本発明に係る「第２軸回動ネジ」の実施の一形態である。前後軸回動ネジ７３ａは棒状の部材であり、前後軸回動ネジ７３ａの外周面にはネジが形成される。
前後軸回動ネジ７３ａは第３軸回動・支持部材６１の第３折曲部６１ｆに形成された第３挿通孔６１ｈおよび第４折曲部６１ｇに形成された第４挿通孔６１ｊに回転可能に挿通されることにより、第３軸回動・支持部材６１に回転可能に軸支される。
前後軸回動ネジ７３ａが第３軸回動・支持部材６１に回転可能に軸支されているとき、前後軸回動ネジ７３ａの長手方向は左右方向に対して平行である。
前後軸回動ネジ７３ａが第３軸回動・支持部材６１に回転可能に軸支されているとき、前後軸回動ネジ７３ａの右端部（頭部）は第３折曲部６１ｆの右方に突出しており、第３軸回動・支持部材６１の外部に露出している。
スライドブラケット７３ｂは、金属板を適宜折り曲げることにより成形される平面視略Ｕ字状の部材であり、底板７３ｄと、第１側板７３ｅと、第２側板７３ｆと、から構成されている。
底板７３ｄはスライドブラケット７３ｂの土台部分を形成するものである。底板７３ｄは正面視長方形状の板状の部材であり、底板７３ｄの一対の板面は前後方向に対して垂直である。
図４および図９に示すように、底板７３ｄには上下方向に伸びた長溝である係合溝７３ｇが形成される。係合溝７３ｇにネジ部材６５が挿通されることにより、ネジ部材６５がスライドブラケット７３ｂに係合する。このネジ部材６５は、本発明に係る「第２軸係合部材」の実施の一形態である。
第１側板７３ｅは、底板７３ｄの左端辺に延設され、前方に向かって折り曲げられた板状の部材である。第１側板７３ｅの一対の板面は左右方向に対して垂直である。第１側板７３ｅの中央部には貫通孔が形成される。
第２側板７３ｆは、底板７３ｄの右端辺に延設され、前方に向かって折り曲げられた板状の部材である。第２側板７３ｆの一対の板面は左右方向に対して垂直である。第２側板７３ｆの中央部には貫通孔が形成される。
ナット７３ｃはスライドブラケット７３ｂの第２側板７３ｆの右側の板面に固着され、ナット７３ｃに形成されるネジ孔と第２側板７３ｆに形成される貫通孔とが連通する。このスライドブラケット７３ｂおよびナット７３ｃを組み合わせた部材は、本発明に係る「第２軸螺合部材」の実施の一形態である。
前後軸回動ネジ７３ａが第３軸回動・支持部材６１に回転可能に軸支されているとき、前後軸回動ネジ７３ａはスライドブラケット７３ｂの第１側板７３ｅの貫通孔および第２側板７３ｆの貫通孔に挿通されるとともに、ナット７３ｃに螺合される。
【００６３】
以上の如く、第２回動角調整機構７０は上下方向に対して垂直な一対の板面を有する基部６１ｃを含む第３軸回動・支持部材６１と、同じく上下方向に対して垂直な一対の板面を有する基部７１ｅを含む第２軸回動部材７１と、長手方向が上下方向に対して垂直な前後軸回動ネジ７３ａとを備えるため、第２回動角調整機構７０の上下方向のサイズを小さくする（薄くする）ことが可能であり、ひいてはプロジェクタ連結装置３０の上下方向のサイズを小さくすることが可能である。
特に、本実施形態では、第３軸回動・支持部材６１が第３回動角調整機構６０を構成する部材の一つおよび第２回動角調整機構７０を構成する部材の一つを兼ねるので、プロジェクタ連結装置３０の上下方向のサイズを更に小さくすることが可能である。
【００６４】
以下では、第２回動角調整機構７０の動作について説明する。
前後軸回動ネジ７３ａの右端部（頭部）には六角レンチが嵌合する六角形状の孔が形成されている（不図示）。作業者が当該孔に六角レンチを差し込んで六角レンチを回転させることにより、前後軸回動ネジ７３ａには回転力が付与され、前後軸回動ネジ７３ａは回転する。
前後軸回動ネジ７３ａが回転すると、前後軸回動ネジ７３ａと螺合しているナット７３ｃが前後軸回動ネジ７３ａの長手方向、すなわち左右方向に移動する。
ナット７３ｃはスライドブラケット７３ｂに固定されているため、ナット７３ｃとスライドブラケット７３ｂとを合わせたものは、前後軸回動ネジ７３ａの回転量（回転角度）に応じて（比例して）左右方向に移動（摺動）することとなる。
また、スライドブラケット７３ｂの底板７３ｄに形成された係合溝７３ｇにはネジ部材６５が挿通され、スライドブラケット７３ｂに係合しているため、ネジ部材６５はナット７３ｃとスライドブラケット７３ｂの左右方向に移動に伴って左右方向に移動することとなる。
その結果、ネジ部材６５が螺着されている第２軸回動部材７１はネジ部材６５の移動に伴ってネジ部材６６およびネジ部材６８を中心として前後方向の軸回りに回動する。
なお、ネジ部材６５は屈曲溝６１ｄに沿って移動し、かつ係合溝７３ｇに沿って移動するため、ネジ部材６５がナット７３ｃとスライドブラケット７３ｂの前後方向の移動、ひいては第２軸回動部材７１の前後方向の軸回りの回動を阻害することはない。
【００６５】
以下では、第１回動角調整機構８０について説明する。
第１回動角調整機構８０は、構造体２に対するプロジェクタ１の左右方向の軸回りの回動角度を調整する機構である。
図４および図５に示すように、第１回動角調整機構８０は、左右軸支持部材８１と、左右軸被回動部材８２と、左右軸回動部材８３と、から構成されている。
【００６６】
図４に示すように、左右軸支持部材８１は、本発明に係る「第１軸支持部材」の実施の一形態であり、金属板を適宜折り曲げることにより成形される。
左右軸支持部材８１は基部８１ｃおよび第１折曲部８１ａ・第２折曲部８１ｂを有する。
図５および図１０に示すように、基部８１ｃは正対姿勢において平面視長方形状の板状の部材であり、ネジ８９・８９・８９・８９により第２軸回動部材７１の基部７１ｅの下側の板面に固定される。
図４、図１０および図１１に示すように、第１折曲部８１ａは、基部８１ｃの左端辺から延設され、基部８１ｃの左端辺を折目として下方に折り曲げられた部分である。第１折曲部８１ａの一対の板面は左右方向に対して垂直である。
第１折曲部８１ａの下端部には貫通孔が形成され、当該貫通孔よりも上方となる位置には当該貫通孔を中心とする円弧状の長溝である屈曲溝８１ｄが形成される（図５参照）。
図５、図１０および図１１に示すように、第１折曲部８１ａの前端部および後端部には、それぞれ第３折曲部８１ｍ・第４折曲部８１ｎが設けられている。
第３折曲部８１ｍは、第１折曲部８１ａの前端辺から延設され、第１折曲部８１ａの前端辺を折目として左方に折り曲げられた部分である。第３折曲部８１ｍの一対の板面は前後方向に対して垂直である。第３折曲部８１ｍの中央部には第３挿通孔８１ｐが設けられている。
第４折曲部８１ｎは、第１折曲部８１ａの後端辺から延設され、第１折曲部８１ａの後端辺を折目として左方に折り曲げられた部分である。第４折曲部８１ｎの一対の板面は前後方向に対して垂直である。第４折曲部８１ｎの中央部には第４挿通孔８１ｒが設けられている。
図１０および図１１に示すように、第２折曲部８１ｂは基部８１ｃの右端辺から延設され、基部８１ｃの右端辺を折目として下方に折り曲げられた部分である。第２折曲部８１ｂの一対の板面は左右方向に対して垂直である。
第２折曲部８１ｂの下端部には貫通孔（不図示）が形成され、当該貫通孔よりも上方となる位置には当該貫通孔を中心とする円弧状の長溝である屈曲溝（不図示）が形成される。
【００６７】
左右軸被回動部材８２は、本発明に係る「第１軸回動部材」の実施の一形態である。左右軸被回動部材８２は、左右軸支持部材８１に対して左右方向の軸回りに回動可能に支持される部材であり、金属板を適宜折り曲げることにより成形される。
図１２に示すように、左右軸被回動部材８２は基部８２ｃおよび第１折曲部８２ａ・第２折曲部８２ｂを有する。
基部８２ｃは正対姿勢において平面視長方形状の板状の部材であり、プロジェクタ固定部材９０に固定される。
第１折曲部８２ａは、基部８２ｃの左端辺に延設され、基部８２ｃの左端辺を折目として上方に折り曲げられた部分である。第１折曲部８２ａの一対の板面は左右方向に対して垂直である。第１折曲部８２ａの上端部にはネジ孔（不図示）が形成される。
第１折曲部８２ａの下端部には第１突出部８２ｄが下方に向けて突設されている。第１突出部８２ｄの中央部にはネジ孔（不図示）が形成される。
第２折曲部８２ｂは、基部８２ｃの右端辺に延設され、基部８２ｃの右端辺を折目として上方に折り曲げられた部分である。第２折曲部８２ｂの一対の板面は左右方向に対して垂直である。第２折曲部８２ｂの上端部にはネジ孔（不図示）が形成される。
第２折曲部８２ｂの下端部には第２突出部８２ｅが下方に向けて突設されている。第２突出部８２ｅの中央部にはネジ孔（不図示）が形成される。
図４および図５に示すように、ネジ部材８６およびネジ部材８８は左右軸支持部材８１に対する左右軸被回動部材８２の左右方向の軸回りの回動の中心（回動軸）となる部材である。
ネジ部材８６は左右軸支持部材８１の第１折曲部８１ａの下端部に形成された貫通孔に回動可能に挿通されるとともに、第１突出部８２ｄの中央部に形成されたネジ孔に螺着される。
ネジ部材８８は左右軸支持部材８１の第２折曲部８１ｂの下端部に形成された貫通孔に回動可能に挿通されるとともに、第２突出部８２ｅの中央部に形成されたネジ孔に螺着される。
ネジ部材８５は左右軸支持部材８１の第１折曲部８１ａの上端部に形成された屈曲溝８１ｄに挿通されるとともに第１折曲部８２ａの上端部に形成されたネジ孔に螺着される。
ネジ部材８５の先端部（頭部）は屈曲溝８１ｄから左方に突出する。
ネジ部材８７は左右軸支持部材８１の第２折曲部８１ｂの上端部に形成された屈曲溝８１ｅに挿通されるとともに第２折曲部８２ｂの上端部に形成されたネジ孔に螺着される。
【００６８】
図５および図１１に示すように、左右軸回動部材８３は、主に、左右軸回動ネジ８３ａと、スライドブラケット８３ｂと、ナット８３ｃと、から構成されている。
左右軸回動ネジ８３ａは棒状の部材であり、本発明に係る「第１軸回動ネジ」の実施の一形態である。左右軸回動ネジ８３ａは、左右軸回動ネジ８３ａの外周面にはネジが形成される。
左右軸回動ネジ８３ａは左右軸支持部材８１の第３折曲部８１ｍに形成された第３挿通孔８１ｐおよび第４折曲部８１ｎに形成された第４挿通孔８１ｒに回転可能に挿通されることにより、左右軸支持部材８１に回転可能に軸支される。
左右軸回動ネジ８３ａが左右軸支持部材８１に回転可能に軸支されているとき、左右軸回動ネジ８３ａの長手方向は前後方向に対して平行である。
左右軸回動ネジ８３ａが左右軸支持部材８１に回転可能に軸支されているとき、左右軸回動ネジ８３ａの前端部（頭部）は第３折曲部８１ｍの前方に突出しており、左右軸支持部材８１の外部に露出している。
スライドブラケット８３ｂは、金属板を適宜折り曲げることにより成形される平面視略Ｕ字状の部材であり、底板８３ｄと、第１側板８３ｅと、第２側板８３ｆと、から構成されている。
底板８３ｄはスライドブラケット８３ｂの土台部分を形成するものである。底板８３ｄは側面視長方形状の板状の部材であり、底板８３ｄの一対の板面は左右方向に対して垂直である。
図５および図１１に示すように、底板８３ｄには上下方向に伸びた長溝である係合溝８３ｇが形成される。係合溝８３ｇにネジ部材８５が挿通されることにより、ネジ部材８５がスライドブラケット８３ｂに係合する。このネジ部材８５は、本発明に係る「第１軸係合部材」の実施の一形態である。
第１側板８３ｅは、底板８３ｄの後端辺に延設され、左方に向かって折り曲げられた板状の部材である。第１側板８３ｅの一対の板面は前後方向に対して垂直である。第１側板８３ｅの中央部には貫通孔が形成される。
第２側板８３ｆは、底板８３ｄの前端辺に延設され、左方に向かって折り曲げられた板状の部材である。第２側板８３ｆの一対の板面は左右方向に対して垂直である。第２側板８３ｆの中央部には貫通孔が形成される。
ナット８３ｃはスライドブラケット８３ｂの第２側板８３ｆの前側の板面に固着され、ナット８３ｃに形成されるネジ孔と第２側板８３ｆに形成される貫通孔とが連通する。このスライドブラケット８３ｂおよびナット８３ｃを組み合わせた部材は、本発明に係る「第１軸螺合部材」の実施の一形態である。
左右軸回動ネジ８３ａが左右軸支持部材８１に回転可能に軸支されているとき、左右軸回動ネジ８３ａはスライドブラケット８３ｂの第１側板８３ｅの貫通孔および第２側板８３ｆの貫通孔に挿通されるとともに、ナット８３ｃに螺合される。
【００６９】
以上の如く、第１回動角調整機構８０は上下方向に対して垂直な一対の板面を有する基部８１ｃを含む左右軸支持部材８１と、同じく上下方向に対して垂直な一対の板面を有する基部８２ｃを含む左右軸被回動部材８２と、長手方向が上下方向に対して垂直な左右軸回動ネジ８３ａとを備えるため、第１回動角調整機構８０の上下方向のサイズを小さくする（薄くする）ことが可能であり、ひいてはプロジェクタ連結装置３０の上下方向のサイズを小さくすることが可能である。
【００７０】
以下では、第１回動角調整機構８０の動作について説明する。
図４に示すように、左右軸回動ネジ８３ａの前端部（頭部）には六角レンチが嵌合する六角形状の孔が形成されている。作業者が当該孔に六角レンチを差し込んで六角レンチを回転させることにより、左右軸回動ネジ８３ａには回転力が付与され、左右軸回動ネジ８３ａは回転する。
左右軸回動ネジ８３ａが回転すると、左右軸回動ネジ８３ａと螺合しているナット８３ｃが左右軸回動ネジ８３ａの長手方向、すなわち前後方向に移動する。
ナット８３ｃはスライドブラケット８３ｂに固定されているため、ナット８３ｃとスライドブラケット８３ｂとを合わせたものは、左右軸回動ネジ８３ａの回転量（回転角度）に応じて（比例して）前後方向に移動（摺動）することとなる。
また、スライドブラケット８３ｂの底板８３ｄに形成された係合溝８３ｇにはネジ部材８５が挿通され、スライドブラケット８３ｂに係合しているため、ネジ部材８５はナット８３ｃとスライドブラケット８３ｂの前後方向に移動に伴って前後方向に移動することとなる。
その結果、ネジ部材８５が螺着されている左右軸被回動部材８２はネジ部材８５の移動に伴ってネジ部材８６およびネジ部材８８を中心として左右方向の軸回りに回動する。
なお、ネジ部材８５は屈曲溝８１ｄに沿って移動し、かつ係合溝８３ｇに沿って移動するため、ネジ部材８５がナット８３ｃとスライドブラケット８３ｂの前後方向の移動、ひいては左右軸被回動部材８２の左右方向の軸回りの回動を阻害することはない。
【００７１】
次に、プロジェクタ１の位置および回動角の調整について説明する。
プロジェクタ支持装置１００は、プロジェクタ支持装置１００により支持されるプロジェクタ１の構造体２に対する上下方向、前後方向、および左右方向の位置調整を行うことが可能である。
また、プロジェクタ支持装置１００は、プロジェクタ支持装置１００により支持されるプロジェクタ１の構造体２に対する上下方向の軸回り、前後方向の軸回り、および左右方向の軸回りの回動角の調整が可能である。以下に、各方向の調整について説明する。
【００７２】
プロジェクタ支持装置１００により支持されるプロジェクタ１の構造体２に対する上下方向の位置の調整は、構造体側固定部材１０のベース部材１１に対するスライド部材１２の上下方向への摺動により行う。
具体的には、図２に示すネジ部材１１ｈ・１１ｈ・・・・を緩め、ベース部材１１に対してスライド部材１２を上下方向に摺動させ、ネジ部材１１ｈ・１１ｈ・・・・を締め付けるという一連の動作により、スライド部材１２、支持アーム２０、プロジェクタ連結装置３０、プロジェクタ固定部材９０およびプロジェクタ１を合わせたものが一体的に上下方向に移動する。
【００７３】
プロジェクタ支持装置１００により支持されるプロジェクタ１の構造体２に対する前後方向の位置の調整は、二つの方法により行われる。
一つ目の方法は、アームスライダ２２を支持アーム２０の長手方向に摺動させる方法である。この方法によれば、アームスライダ２２、プロジェクタ連結装置３０、プロジェクタ固定部材９０およびプロジェクタ１を合わせたものを支持アーム２０の長手方向の長さの範囲で前後方向に大きく移動させることが可能である。
二つ目の方法は、第２位置調整機構５０を動作させる方法である。この方法によれば、第２移動ネジ５３の回転量（回転角度）に応じて（比例して）第２摺動・支持部材５２以下のプロジェクタ連結装置３０を構成する部材、プロジェクタ固定部材９０およびプロジェクタ１を合わせたものを一体的かつ前後方向に精度良く（所望の移動量だけ）移動させることが可能であり、プロジェクタ１の前後方向の位置を微調整することが可能である。
また、第２位置調整機構５０を動作させるとき、作業者はプロジェクタ１等の重量物を空いている手で支持する等の付帯動作を別途行う必要が無いので、作業者の肉体的な負担を軽減することが可能であるとともに作業が容易である。
【００７４】
プロジェクタ支持装置１００により支持されるプロジェクタ１の構造体２に対する左右方向の位置の調整は、第１位置調整機構４０を動作させる方法により行われる。
この方法によれば、第１移動ネジ４３の回転量（回転角度）に応じて（比例して）第２第１摺動・支持部材４２以下のプロジェクタ連結装置３０を構成する部材、プロジェクタ固定部材９０およびプロジェクタ１を合わせたものを一体的かつ左右方向に精度良く（所望の移動量だけ）移動させることが可能であり、プロジェクタ１の左右方向の位置を微調整することが可能である。
また、第１位置調整機構４０を動作させるとき、作業者はプロジェクタ１等の重量物を空いている手で支持する等の付帯動作を別途行う必要が無いので、作業者の肉体的な負担を軽減することが可能であるとともに作業が容易である。
【００７５】
プロジェクタ支持装置１００により支持されるプロジェクタ１の構造体２に対する上下方向の軸回りの回動角度の調整は、第３回動角調整機構６０を動作させる方法により行われる。
この方法によれば、上下軸回動ネジ６３ａの回転量（回転角度）に応じて第３軸回動・支持部材６１以下のプロジェクタ連結装置３０を構成する部材、プロジェクタ固定部材９０およびプロジェクタ１を合わせたものを一体的かつ上下方向の軸回りに精度良く（所望の回動角度だけ）回動させることが可能であり、プロジェクタ１の上下方向の軸回りの回動角度を微調整することが可能である。
また、第３回動角調整機構６０を動作させるとき、作業者はプロジェクタ１等の重量物を空いている手で支持する等の付帯動作を別途行う必要が無いので、作業者の肉体的な負担を軽減することが可能であるとともに作業が容易である。
【００７６】
プロジェクタ支持装置１００により支持されるプロジェクタ１の構造体２に対する前後方向の軸回りの回動角度の調整は、第２回動角調整機構７０を動作させる方法により行われる。
この方法によれば、前後軸回動ネジ７３ａの回転量（回転角度）に応じて第２軸回動部材７１以下のプロジェクタ連結装置３０を構成する部材、プロジェクタ固定部材９０およびプロジェクタ１を合わせたものを一体的かつ前後方向の軸回りに精度良く（所望の回動角度だけ）回動させることが可能であり、プロジェクタ１の前後方向の軸回りの回動角度を微調整することが可能である。
また、第２回動角調整機構７０を動作させるとき、作業者はプロジェクタ１等の重量物を空いている手で支持する等の付帯動作を別途行う必要が無いので、作業者の肉体的な負担を軽減することが可能であるとともに作業が容易である。
【００７７】
プロジェクタ支持装置１００により支持されるプロジェクタ１の構造体２に対する左右方向の軸回りの回動角度の調整は、第１回動角調整機構８０を動作させる方法により行われる。
この方法によれば、左右軸回動ネジ８３ａの回転量（回転角度）に応じて左右軸被回動部材８２以下のプロジェクタ連結装置３０を構成する部材、プロジェクタ固定部材９０およびプロジェクタ１を合わせたものを一体的かつ左右方向の軸回りに精度良く（所望の回動角度だけ）回動させることが可能であり、プロジェクタ１の左右方向の軸回りの回動角度を微調整することが可能である。
また、第１回動角調整機構８０を動作させるとき、作業者はプロジェクタ１等の重量物を空いている手で支持する等の付帯動作を別途行う必要が無いので、作業者の肉体的な負担を軽減することが可能であるとともに作業が容易である。
【００７８】
以上のように、プロジェクタ支持装置１００は、
構造体２に固定される構造体側固定部材１０と、
一端部が構造体側固定部材１０に固定される支持アーム２０と、
プロジェクタ１を支持アーム２０の中途部または他端部に支持可能に連結するプロジェクタ連結装置３０と、
を具備し、
プロジェクタ連結装置３０は、
構造体２に対するプロジェクタ１の左右方向（第１の方向）の位置を調整する第１位置調整機構４０と、
構造体２に対するプロジェクタ１の前後方向（第１の方向に対して垂直な第２の方向）の位置を調整する第２位置調整機構５０と、
構造体２に対するプロジェクタ１の左右方向（第１の方向）の軸回りの回動角度を調整する第１回動角調整機構８０と、
構造体２に対するプロジェクタ１の前後方向（第２の方向）の軸回りの回動角度を調整する第２回動角調整機構７０と、
構造体２に対するプロジェクタ１の上下方向（第１の方向および前記第２の方向に対して垂直な第３の方向）の軸回りの回動角度を調整する第３回動角調整機構６０と、
を備えるものである。
このように構成することで、プロジェクタ支持装置１００自体をコンパクトにすることが可能であり、且つ省力でプロジェクタ１の姿勢（位置および傾き角度）の微調整が可能である。
【００７９】
また、プロジェクタ支持装置１００は、
第１位置調整機構４０が、
プロジェクタ１の左右方向（第１の方向）に摺動する第１摺動・支持部材４２（第１摺動部材）と、
第１摺動・支持部材４２（第１摺動部材）を摺動可能に支持する第１支持部材４１と、
長手方向がプロジェクタ１の左右方向（第１の方向）に平行となる姿勢で第１支持部材４１に回転可能に軸支され、外周面に第１摺動・支持部材４２（第１摺動部材）に螺合するネジが形成され、一端部または両端部が外部に露出する位置に配置され、当該一端部または両端部に回転力を付与することにより回転する第１移動ネジ４３と、
から構成されるものである。
このように構成することで、省力でプロジェクタ１の姿勢（位置および傾き角度）の微調整が可能である。
【００８０】
さらに、プロジェクタ支持装置１００は、
第２位置調整機構５０が、
プロジェクタ１の前後方向（第２の方向）に摺動する第２摺動・支持部材５２（第２摺動部材）と、
第２摺動・支持部材５２（第２摺動部材）を摺動可能に支持する第１摺動・支持部材４２（第２支持部材）と、
長手方向がプロジェクタ１の前後方向（第２の方向）に平行となる姿勢で第１摺動・支持部材４２（第２支持部材）に回転可能に軸支され、外周面に第２摺動・支持部材５２（第２摺動部材）に螺合するネジが形成され、一端部または両端部が外部に露出する位置に配置され、当該一端部または両端部に回転力を付与することにより回転する第２移動ネジ５３と
から構成されるものである。
このように構成することで、省力でプロジェクタ１の姿勢（位置および傾き角度）の微調整が可能である。
【００８１】
さらにまた、プロジェクタ支持装置１００は、
前記第１位置調整機構４０が、
プロジェクタ１の左右方向（第１の方向）に摺動する第１摺動・支持部材４２（第１摺動部材）と、
第１摺動・支持部材４２（第１摺動部材）を摺動可能に支持する第１支持部材４１と、
長手方向がプロジェクタ１の左右方向（第１の方向）に平行となる姿勢で第１支持部材４１に回転可能に軸支され、外周面に第１摺動・支持部材４２（第１摺動部材）に螺合するネジが形成され、一端部または両端部が外部に露出する位置に配置され、当該一端部または両端部に回転力を付与することにより回転する第１移動ネジ４３と、
から構成され、
前記第２位置調整機構が、
第１位置調整機構４０の第１摺動・支持部材４２（第１摺動部材）によりプロジェクタ１の前後方向（第２の方向）へ摺動可能に支持される第２摺動・支持部材５２（第２摺動部材）と、
長手方向がプロジェクタ１の前後方向（第２の方向）に平行となる姿勢で第１摺動・支持部材４２（第１摺動部材）に回転可能に軸支され、外周面に第２摺動・支持部材５２（第２摺動部材）に螺合するネジが形成され、一端部または両端部が外部に露出する位置に配置され、当該一端部または両端部に回転力を付与することにより回転する第２移動ネジ５３と
から構成されるものである。
このように構成することで、第１摺動・支持部材４２が第１位置調整機構４０を構成する部材の一つおよび第２位置調整機構５０を構成する部材の一つを兼ねるので、プロジャクタ連結装置３０の上下方向のサイズを更に小さくすることができ、プロジェクタ支持装置１００自体をコンパクトにすることが可能である。
【００８２】
さらにまた、プロジェクタ支持装置１００は、
第１摺動・支持部材４２（第１摺動部材）が、
プロジェクタ１の左右方向（第１の方向）および前後方向（第２の方向）に平行な一対の板面を有する矩形の基部４２ｆと、
基部４２ｆの第１辺から延設され、前記第１辺を折目として基部４２ｆの一対の板面の一方側に向かって突出する方向に折り曲げられた第１折曲部４２ａと、
基部４２ｆの第１辺に対向する第２辺から延設され、前記第２辺を折目として基部４２ｆの一対の板面の一方側に向かって突出する方向に折り曲げられた第２折曲部４２ｂと、
基部４２ｆの第１辺および第２辺の一端部に連なる第３辺から延設され、前記第３辺を折目として基部４２ｆの一対の板面の他方側に向かって突出する方向に折り曲げられた第３折曲部４２ｃと、
基部４２ｆの第１辺および第２辺の他端部に連なるとともに前記第３辺に対向する第４辺から延設され、前記第４辺を折目として基部４２ｆの一対の板面の他方側に向かって突出する方向に折り曲げられた第４折曲部４２ｄと、
を具備し、
第１折曲部４２ａおよび第２折曲部４２ｂは、第１支持部材４１に摺動可能に係合し、
第３折曲部４２ｃおよび第４折曲部４２ｄは、第２摺動・支持部材５２（第２摺動部材）を摺動可能に支持するものである。
このように構成することで、第１摺動・支持部材４２は、第１位置調整機構４０における摺動部材となるとともに、第２位置調整機構５０における支持部材となるため、プロジャクタ連結装置３０の上下方向のサイズを更に小さくすることができ、プロジェクタ支持装置１００自体をコンパクトにすることが可能である。
【００８３】
さらにまた、プロジェクタ支持装置１００は、
第１回動角調整機構８０が、
プロジェクタ１の左右方向（第１の方向）の軸回りに回動する左右軸被回動部材８２（第１軸回動部材）と、
左右軸被回動部材８２（第１軸回動部材）を回動可能に支持する左右軸支持部材８１（第１軸支持部材）と、
長手方向がプロジェクタ１の前後方向（第２の方向）に平行となる姿勢で左右軸支持部材８１（第１軸支持部材）に回転可能に軸支され、外周面にネジが形成され、一端部または両端部が外部に露出する位置に配置され、当該一端部または両端部に回転力を付与することにより回転する左右軸回動ネジ８３ａ（第１軸回動ネジ）と、
左右軸回動ネジ８３ａ（第１軸回動ネジ）に螺合し、左右軸回動ネジ８３ａ（第１軸回動ネジ）の回転量に応じてプロジェクタ１の前後方向（第２の方向）に移動するスライドブラケット８３ｂおよびナット８３ｃ（第１軸螺合部材）と、
一端部が左右軸被回動部材８２（第１軸回動部材）に固定されるとともに他端部がスライドブラケット８３ｂおよびナット８３ｃ（第１軸螺合部材）に係合するネジ部材８５（第１軸係合部材）と、
から構成されるものである。
このように構成することで、左右軸回動ネジ８３ａの回転量（回転角度）に応じて左右軸被回動部材８２以下のプロジェクタ連結装置３０を構成する部材、プロジェクタ固定部材９０およびプロジェクタ１を合わせたものを一体的かつ左右方向の軸回りに精度良く（所望の回動角度だけ）回動させることが可能であり、プロジェクタ１の左右方向の軸回りの回動角度を微調整することが可能である。
また、第１回動角調整機構８０を動作させるとき、作業者はプロジェクタ１等の重量物を空いている手で支持する等の付帯動作を別途行う必要が無いので、作業者の肉体的な負担を軽減することが可能であるとともに作業が容易である。
【００８４】
さらにまた、プロジェクタ支持装置１００は、
前記第２回動角調整機構７０は、
プロジェクタ１の前後方向（第２の方向）の軸回りに回動する第２軸回動部材７１と、
第２軸回動部材７１を回動可能に支持する第３軸回動・支持部材６１（第２軸支持部材）と、
長手方向がプロジェクタ１の左右方向（第１の方向）に平行となる姿勢で第３軸回動・支持部材６１（第２軸支持部材）に回転可能に軸支され、外周面にネジが形成され、一端部または両端部が外部に露出する位置に配置され、当該一端部または両端部に回転力を付与することにより回転する前後軸回動ネジ７３ａ（第２軸回動ネジ）と、
前後軸回動ネジ７３ａ（第２軸回動ネジ）に螺合し、前後軸回動ネジ７３ａ（第２軸回動ネジ）の回転量に応じて前記第１の方向に移動するスライドブラケット７３ｂおよびナット７３ｃ（第２軸螺合部材）と、
一端部が第２軸回動部材７１に固定されるとともに他端部がスライドブラケット７３ｂおよびナット７３ｃ（第２軸螺合部材）に係合するネジ部材６５（第２軸係合部材）と、
から構成されるものである。
このように構成することで、前後軸回動ネジ７３ａの回転量（回転角度）に応じて第２軸回動部材７１以下のプロジェクタ連結装置３０を構成する部材、プロジェクタ固定部材９０およびプロジェクタ１を合わせたものを一体的かつ前後方向の軸回りに精度良く（所望の回動角度だけ）回動させることが可能であり、プロジェクタ１の前後方向の軸回りの回動角度を微調整することが可能である。
また、第２回動角調整機構７０を動作させるとき、作業者はプロジェクタ１等の重量物を空いている手で支持する等の付帯動作を別途行う必要が無いので、作業者の肉体的な負担を軽減することが可能であるとともに作業が容易である。
【００８５】
さらにまた、プロジェクタ支持装置１００は、
第３回動角調整機構６０が、
プロジェクタ１の上下方向（第３の方向）の軸回りに回動する第３軸回動・支持部材６１（第３軸回動部材）と、
第３軸回動・支持部材６１（第３軸回動部材）を回動可能に支持する第２摺動・支持部材５２（第３軸支持部材）と、
長手方向がプロジェクタ１の上下方向（第３の方向）に垂直となる姿勢で第２摺動・支持部材５２（第３軸支持部材）に回転可能に軸支され、外周面にネジが形成され、一端部または両端部が外部に露出する位置に配置され、当該一端部または両端部に回転力を付与することにより回転する上下軸回動ネジ６３ａ（第３軸回動ネジ）と、
上下軸回動ネジ６３ａ（第３軸回動ネジ）に螺合し、上下軸回動ネジ６３ａ（第３軸回動ネジ）の回転量に応じて上下軸回動ネジ６３ａ（第３軸回動ネジ）の長手方向に移動するスライドブラケット６３ｂおよびナット６３ｃ（第３軸螺合部材）と、
一端部が第３軸回動・支持部材６１（第３軸回動部材）に固定されるとともに他端部がスライドブラケット６３ｂおよびナット６３ｃ（第３軸螺合部材）に係合するネジ部材５６（第３軸係合部材）と、
から構成されるものである。
このように構成することで、上下軸回動ネジ６３ａの回転量（回転角度）に応じて第３軸回動・支持部材６１以下のプロジェクタ連結装置３０を構成する部材、プロジェクタ固定部材９０およびプロジェクタ１を合わせたものを一体的かつ左右方向の軸回りに精度良く（所望の回動角度だけ）回動させることが可能であり、プロジェクタ１の左右方向の軸回りの回動角度を微調整することが可能である。
また、第３回動角調整機構６０を動作させるとき、作業者はプロジェクタ１等の重量物を空いている手で支持する等の付帯動作を別途行う必要が無いので、作業者の肉体的な負担を軽減することが可能であるとともに作業が容易である。
【００８６】
さらにまた、プロジェクタ支持装置１００は、
支持アーム２０が、
一端部が構造体側固定部材１０に固定されるアーム本体２１と、
アーム本体２１に係合されつつアーム本体２１の長手方向に摺動可能なアームスライダ２２と、
を備え、
プロジェクタ連結装置３０が、
アームスライダ２２に固定されるものである。
このように構成することで、省力でプロジェクタ１の姿勢（位置）の調整が可能である。
【００８７】
さらにまた、プロジェクタ支持装置１００は、
支持アーム２０は内部空間を有する中空状の部材からなり、
支持アーム２０の中途部には支持アーム２０の内部空間と外部とを連通する引込み孔２１ｆが形成され、
プロジェクタ１の配線は引込み孔２１ｆから支持アーム２０の内部空間に引き込まれるものである。
このように構成することで、プロジェクタ１の配線をコンパクトにまとめて配線することができ、プロジェクタ支持装置１００内でプロジェクタ１の配線が邪魔になることがない。
【００８８】
さらにまた、プロジェクタ支持装置１００は、
構造体側固定部材１０は内部空間を有する箱状の部材からなり、
構造体側固定部材１０には構造体側固定部材１０の内部空間と外部とを連通する引出し孔１３が形成され、
引込み孔２１ｆから支持アーム２０の内部に引き込まれたプロジェクタ１の配線は、構造体側固定部材１０の内部空間を経て引出し孔１３から外部へ引き出されるものである。
このように構成することで、プロジェクタ１の配線をコンパクトにまとめて配線することができ、プロジェクタ支持装置１００内でプロジェクタ１の配線が邪魔になることがない。
【００８９】
さらにまた、プロジェクタ支持装置１００は、
構造体側固定部材１０は、
構造体２に固定されるベース部材１１と、
ベース部材１１にプロジェクタ１の上下方向（第３の方向）へ摺動可能に支持されるスライド部材１２と、
を備えるものである。
このように構成することで、省力でプロジェクタ１の姿勢（位置）の調整が可能である。
【００９０】
さらにまた、プロジェクタ支持装置１００は、
支持アーム２０は構造体側固定部材１０にプロジェクタ１の上下方向（第３の方向）へ摺動可能に支持されるものである。
このように構成することで、装置構成が簡素化できるとともに、省力でプロジェクタ１の姿勢（位置）の調整が可能である。
【符号の説明】
【００９１】
１        プロジェクタ
１０      構造体側固定部材
２０      支持アーム
３０      プロジェクタ連結装置
４０      第１位置調整機構
５０      第２位置調整機構
６０      第３回動角調整機構
７０      第２回動角調整機構
８０      第１回動角調整機構
１００    プロジェクタ支持装置
【図１】
2010262184.tif 000003
【図２】
2010262184.tif 000004
【図３】
2010262184.tif 000005
【図４】
2010262184.tif 000006
【図５】
2010262184.tif 000007
【図６】
2010262184.tif 000008
【図７】
2010262184.tif 000009
【図８】
2010262184.tif 000010
【図９】
2010262184.tif 000011
【図１０】
2010262184.tif 000012
【図１１】
2010262184.tif 000013
【図１２】
2010262184.tif 000014